(57)【要約】  毛髪に対する修復及び有益な処理の効果及び沈着を分析する方法であって、（ｉ）少なくとも１つの毛髪表面の画像データを収集する工程、（ｉｉ）少なくとも１つの有益剤を含む少なくとも１つの処理を前記毛髪表面に適用し、前記有益剤を前記毛髪表面に沈着させる工程、（ｉｉｉ）工程（ｉｉ）から生じる前記毛髪表面の画像データを収集する工程、（ｉｖ）工程（ｉ）及び（ｉｉｉ）で収集された画像データを３Ｄプリンタ１０から拡大された画像を作成するためのフォーマットに変換する工程、（ｖ）工程ｉｖからの前記データを使用して、３Ｄプリンタから前記毛髪表面の拡大された３Ｄモデルを生成する工程、（ｖｉ）工程（ｉｉｉ）から生じる前記３Ｄモデルを工程（ｉ）から生じる前記３Ｄモデルと比較する工程、（ｖｉｉ）前記有益剤の沈着挙動を分析する工程、（ｖｉｉｉ）工程（ｉｉ）に起因する任意の消費者の知覚可能な効果を分析する工程、並びに（ｉｘ）工程（ｖｉｉ）の前記分析と工程（ｖｉｉｉ）の前記分析を相関させる工程を含む、方法。【選択図】図１
2019516948.tif 000002
【特許請求の範囲】
【請求項１】
毛髪に対する修復及び有益な処理の効果及び沈着を分析する方法であって、
（ｉ）少なくとも１つの毛髪表面の画像データを収集する工程、
（ｉｉ）少なくとも１つの有益剤を含む少なくとも１つの処理を前記毛髪表面に適用し、前記有益剤を前記毛髪表面に沈着させる工程、
（ｉｉｉ）工程（ｉｉ）から生じる前記毛髪表面の画像データを収集する工程、
（ｉｖ）工程（ｉ）及び（ｉｉｉ）で収集された前記画像データを３Ｄプリンタから拡大された画像を作成するためのフォーマットに変換する工程、
（ｖ）工程ｉｖからの前記データを使用して、３Ｄプリンタから前記毛髪表面の拡大された３Ｄモデルを生成する工程、
（ｖｉ）工程（ｉｉｉ）から生じる前記３Ｄモデルを工程（ｉ）から生じる前記３Ｄモデルと比較する工程、
（ｖｉｉ）前記有益剤の沈着挙動を分析する工程、
（ｖｉｉｉ）工程（ｉｉ）に起因する任意の消費者の知覚可能な効果を分析する工程、並びに
（ｉｘ）工程（ｖｉｉ）の前記分析と工程（ｖｉｉｉ）の前記分析とを相関させる工程
を含む、方法。
【請求項２】
工程（ｉｉ）〜（ｖｉ）を繰り返す工程をさらに含む、請求項１に記載の方法。
【請求項３】
前記毛髪組成物が、シャンプー、リンスオフヘアコンディショナー、ヘアマスク、リーブオン処理組成物、及び前処理組成物から選択される、請求項１又は請求項２に記載の方法。
【請求項４】
前記有益剤が、シリコーン、脂質、及び油などのヘアコンディショニング剤；スタイリングポリマー；ワックス、日焼け止め剤、ボディファイング剤、並びにそれらの混合物から選択される、請求項１〜３のいずれか一項に記載の方法。
【請求項５】
前記有益剤が、毛髪表面上に、層状に、又は別個の粒子として沈着される、請求項１〜４のいずれか一項に記載の方法。
【請求項６】
前記関心領域を強調表示するために前記３Ｄモデルにカラーリンスを適用する工程をさらに含む、請求項１〜５のいずれか一項に記載の方法。
【請求項７】
前記拡大された３Ｄが、１００〜５０，０００、好ましくは３０，０００倍の倍率を有する、請求項１〜６のいずれか一項に記載の方法。
【発明の詳細な説明】
【技術分野】
【０００１】
本発明は、毛髪処理組成物から送達された毛髪への有益剤の効果、その沈着挙動を分析し、好適な毛髪処理を推奨する方法に関する。
【背景技術】
【０００２】
ＶＡＬＥＲＩＡ  ＦＥＲＮＡＮＤＥＳ  ＭＯＮＴＥＩＲＯら：「Ｍｏｒｐｈｏｌｏｇｉｃａｌ  ａｎａｌｙｓｉｓ  ｏｆ  ｐｏｌｙｍｅｒｓ  ｏｎ  ｈａｉｒ  ｆｉｂｅｒｓ  ｂｙ  ＳＥＭ  ａｎｄ  ＡＦＭ」、ＭＡＴＥＲＩＡＬＳ  ＲＥＳＥＡＲＣＨ、ｖｏｌ．６、ｎｏ．４、２００３年１２月１日（２００３−１２−０１）、５０１〜５０６頁、ＸＰ０５５２７０７５８、ＢＲ；及びＪＡＣＡＬＹＮ  Ｇ  ＧＯＵＬＤら：「Ｅｌｅｃｔｒｏｎ  ｍｉｃｒｏｓｃｏｐｙ−ｉｍａｇｅ  ａｎａｌｙｓｉｓ：Ｑｕａｎｔｉｆｉｃａｔｉｏｎ  ｏｆ  ｕｌｔｒａｓｔｒｕｃｔｕｒａｌ  ｃｈａｎｇｅｓ  ｉｎ  ｈａｉｒ  ｆｉｂｅｒ  ｃｒｏｓｓ  ｓｅｃｔｉｏｎｓ  ａｓ  ａ  ｒｅｓｕｌｔ  ｏｆ  ｃｏｓｍｅｔｉｃ  ｔｒｅａｔｍｅｎｔ；Ｐｒｅｓｅｎｔｅｄ  ａｔ  ｔｈｅ  Ｓｏｃｉｅｔｙ  ｏｆ  Ｃｏｓｍｅｔｉｃ  Ｃｈｅｍｉｓｔｓ  Ａｎｎｕａｌ  Ｍｅｅｔｉｎｇ」Ｊ．ＳＯＣ．ＣＯＳＭＥＴ．ＣＨＥＭ、ｖｏｌ．３６、１９８５年１月１日（１９８５−０１−０１）、５３〜５９頁、ＸＰ０５５２７０７５９は、毛髪繊維に対する処理の効果を分析するための画像化及び顕微鏡ベースのアプローチを開示している。
【０００３】
ＨＹＵＮＧ  ＪＩＮ  ＡＨＮら：「Ａｎ  ｕｌｔｒａｓｔｕｃｔｕｒａｌ  ｓｔｕｄｙ  ｏｆ  ｈａｉｒ  ｆｉｂｅｒ  ｄａｍａｇｅ  ａｎｄ  ｒｅｓｔｏｒａｔｉｏｎ  ｆｏｌｌｏｗｉｎｇ  ｔｒｅａｔｍｅｎｔ  ｗｉｔｈ  ｐｅｒｍａｎｅｎｔ  ｈａｉｒ  ｄｙｅ」ＩＮＴＥＲＮＡＴＩＯＮＡＬ  ＪＯＵＲＮＡＬ  ＯＦ  ＤＥＲＭＡＴＯＬＯＧＹ、ｖｏｌ．４１、ｎｏ．２、２００２年２月１日（２００２−０２−０１）、８８〜９２頁、ＸＰ０５５２７０７６０、英国；は、電子顕微鏡を使用した毛髪繊維の損傷及び回復の超微細構造研究を開示している。
【０００４】
ＧＩＥＲＡＤ  ＬＡＰＵＴら：「３Ｄ  Ｐｒｉｎｔｅｄ  Ｈａｉｒ：Ｆｕｓｅｄ  Ｄｅｐｏｓｉｔｉｏｎ  Ｍｏｄｅｌｌｉｎｇ  ｏｆ  Ｓｏｆｔ  Ｓｔｒａｎｄｓ，Ｆｉｂｅｒｓ  ａｎｄ  Ｂｒｉｓｔｌｅｓ」、ＵＳＥＲ  ＩＮＴＥＲＦＡＣＥ  ＳＯＦＴＷＡＲＥ  ＡＮＤ  ＴＥＣＨＮＯＬＯＧＹ、２０１５年１月１日（２０１５−０１−０１）、５９３〜５９７頁、ＸＰ０５５２７０７６１は、３Ｄ印刷による毛髪繊維の生成を開示している。
【０００５】
国際公開第１４０４１１８６Ａ１号には、身体の３Ｄモデリングのためのソフトウェアなどのシステム又は構成要素が記載されている。
【０００６】
処理、プロトコル、及びヘアケアレジームなどの攻撃は、毛髪の表面及び構造に損傷を与えることが知られている。これらの有害な効果を緩和するための修復及び有益な処理が利用可能であるが、コンセプトを消費者が把握することが困難であり、修復処理の完全な効果を完全に理解することが困難な場合がある。
【先行技術文献】
【特許文献】
【０００７】
【特許文献１】国際公開第１４０４１１８６Ａ１号
【非特許文献】
【０００８】
【非特許文献１】ＶＡＬＥＲＩＡ  ＦＥＲＮＡＮＤＥＳ  ＭＯＮＴＥＩＲＯら：「Ｍｏｒｐｈｏｌｏｇｉｃａｌ  ａｎａｌｙｓｉｓ  ｏｆ  ｐｏｌｙｍｅｒｓ  ｏｎ  ｈａｉｒ  ｆｉｂｅｒｓ  ｂｙ  ＳＥＭ  ａｎｄ  ＡＦＭ」、ＭＡＴＥＲＩＡＬＳ  ＲＥＳＥＡＲＣＨ、ｖｏｌ．６、ｎｏ．４、２００３年１２月１日（２００３−１２−０１）、５０１〜５０６頁、ＸＰ０５５２７０７５８、ＢＲ；
【非特許文献２】ＪＡＣＡＬＹＮ  Ｇ  ＧＯＵＬＤら：「Ｅｌｅｃｔｒｏｎ  ｍｉｃｒｏｓｃｏｐｙ−ｉｍａｇｅ  ａｎａｌｙｓｉｓ：Ｑｕａｎｔｉｆｉｃａｔｉｏｎ  ｏｆ  ｕｌｔｒａｓｔｒｕｃｔｕｒａｌ  ｃｈａｎｇｅｓ  ｉｎ  ｈａｉｒ  ｆｉｂｅｒ  ｃｒｏｓｓ  ｓｅｃｔｉｏｎｓ  ａｓ  ａ  ｒｅｓｕｌｔ  ｏｆ  ｃｏｓｍｅｔｉｃ  ｔｒｅａｔｍｅｎｔ；Ｐｒｅｓｅｎｔｅｄ  ａｔ  ｔｈｅ  Ｓｏｃｉｅｔｙ  ｏｆ  Ｃｏｓｍｅｔｉｃ  Ｃｈｅｍｉｓｔｓ  Ａｎｎｕａｌ  Ｍｅｅｔｉｎｇ」Ｊ．ＳＯＣ．ＣＯＳＭＥＴ．ＣＨＥＭ、ｖｏｌ．３６、１９８５年１月１日（１９８５−０１−０１）、５３〜５９頁、ＸＰ０５５２７０７５９
【非特許文献３】ＨＹＵＮＧ  ＪＩＮ  ＡＨＮら：「Ａｎ  ｕｌｔｒａｓｔｕｃｔｕｒａｌ  ｓｔｕｄｙ  ｏｆ  ｈａｉｒ  ｆｉｂｅｒ  ｄａｍａｇｅ  ａｎｄ  ｒｅｓｔｏｒａｔｉｏｎ  ｆｏｌｌｏｗｉｎｇ  ｔｒｅａｔｍｅｎｔ  ｗｉｔｈ  ｐｅｒｍａｎｅｎｔ  ｈａｉｒ  ｄｙｅ」ＩＮＴＥＲＮＡＴＩＯＮＡＬ  ＪＯＵＲＮＡＬ  ＯＦ  ＤＥＲＭＡＴＯＬＯＧＹ、ｖｏｌ．４１、ｎｏ．２、２００２年２月１日（２００２−０２−０１）、８８〜９２頁、ＸＰ０５５２７０７６０、英国；
【非特許文献４】ＧＩＥＲＡＤ  ＬＡＰＵＴら：「３Ｄ  Ｐｒｉｎｔｅｄ  Ｈａｉｒ：Ｆｕｓｅｄ  Ｄｅｐｏｓｉｔｉｏｎ  Ｍｏｄｅｌｌｉｎｇ  ｏｆ  Ｓｏｆｔ  Ｓｔｒａｎｄｓ，Ｆｉｂｅｒｓ  ａｎｄ  Ｂｒｉｓｔｌｅｓ」、ＵＳＥＲ  ＩＮＴＥＲＦＡＣＥ  ＳＯＦＴＷＡＲＥ  ＡＮＤ  ＴＥＣＨＮＯＬＯＧＹ、２０１５年１月１日（２０１５−０１−０１）、５９３〜５９７頁、ＸＰ０５５２７０７６１
【発明の概要】
【発明が解決しようとする課題】
【０００９】
本発明の方法は、種々の修復及び有益な処理にさらされた毛髪繊維の特性を評価するために使用することができる。このようにして、毛髪に処理を適用することから生じる「平滑化」などの任意の表面改善を実証することが可能である。また、個人のニーズに応じて好適な製品を推薦することも可能になる。
【課題を解決するための手段】
【００１０】
第１の態様では、本発明は、毛髪に対する修復及び有益な処理の効果及び沈着を分析する方法であって、
（ｉ）少なくとも１つの毛髪表面の画像データを収集する工程、
（ｉｉ）少なくとも１つの有益剤を含む少なくとも１つの処理を毛髪表面に適用し、有益剤を毛髪表面に沈着させる工程、
（ｉｉｉ）工程（ｉｉ）から生じる毛髪表面の画像データを収集する工程、
（ｉｖ）工程（ｉ）及び（ｉｉｉ）で収集された画像データを３Ｄプリンタから拡大された画像を作成するためのフォーマットに変換する工程、
（ｖ）工程ｉｖからのデータを使用して、３Ｄプリンタから毛髪表面の拡大された３Ｄモデルを生成する工程、
（ｖｉ）工程（ｉｉｉ）から生じる３Ｄモデルを工程（ｉ）から生じる３Ｄモデルと比較する工程、
（ｖｉｉ）有益剤の沈着挙動を分析する工程、
（ｖｉｉｉ）工程（ｉｉ）に起因する任意の消費者の知覚可能な効果を分析する工程、並びに
（ｉｘ）工程（ｖｉｉ）の分析と工程（ｖｉｉｉ）の分析とを相関させる工程
を含む、方法を提供する。
【００１１】
好ましくは、工程（ｉｉ）〜（ｖｉ）が繰り返される。有益剤に対する繰り返し又は長期の曝露による影響の評価を可能にするために、工程（ｉｉ）〜（ｖｉ）を複数回繰り返してもよい。例えば、２〜２０回、好ましくは２〜８回である。
【００１２】
この方法は、本発明の方法の工程（ｖ）における拡大された画像／３Ｄモデルに示される特性を、工程（ｉ）からの初期の画像／３Ｄモデルと比較することを可能にする。
【００１３】
初期段階（ｉ）で得られた拡大された画像に見られ得る特性は、毛髪繊維の外側のトポグラフィー側面、例えば、キューティクルリフト、キューティクル損傷（例えば、チッピング、割れ、形状の変化、及び破損）、キューティクルエロージョン、スプリットエンド、キンク、ブロブ、亀裂、穴、及び結び目である。初期の画像化段階（ｉ）でこれらが存在する程度は、方法の開始時の毛髪の年齢及び状態に依存する。
【００１４】
様々な有益剤が異なる方法で毛髪表面に沈着され、沈着の性質は、消費者が知覚する利益に影響を及ぼす可能性がある。例えば、沈着は、層状に、又は別個の粒子として、及び毛髪表面上の異なる位置で起こり得る。これらの態様は、方法の工程（ｉｉ）で与えられ、工程（ｖ）から明らかである。
【００１５】
毛髪表面に沈着させ得る有益剤の例としては、シリコーン、脂質、及び油などのヘアコンディショニング剤；スタイリングポリマー；ワックス、日焼け止め剤、ボディファイング剤、及びそれらの混合物が挙げられる。
【００１６】
好ましいシリコーンは、ＤＣ５−７１３４（ダウコーニング（Ｄｏｗ  Ｃｏｒｎｉｎｇ）より）である。好ましいスタイリングポリマーは、ＰＳＡ  Ａｃｕｄｙｎｅ  ＭＤ５８００（ダウコーニング（Ｄｏｗ  Ｃｏｒｎｉｎｇ）より）である。
【００１７】
消費者が知覚可能な効果とは、例えば、損傷に対する認識の変化、保護に対する認識、又はリペアリングに対する認識を含む、有益剤による処理の結果として、消費者によって認識されるあらゆる変化である。これらは、ざらつき感、平滑性、柔らかさ、ざらざら感、乾燥感、保湿性、コーミングのしやすさ、及び摩擦などの特性によって知覚することができる。
【００１８】
毛髪の性質をターゲットとする、個々のニーズに応じた好適な製品を推薦することが可能である。
【００１９】
本発明の方法は、教育ツール、プレス、メディア、又は顧客との通信、販売時、サロンなどの専門的環境、並びに商業的材料、広告材料、及び宣伝材料に使用されてもよい。
【発明を実施するための形態】
【００２０】
画像
好ましくは、画像は、トポグラフィック表面画像であり、より好ましくは、トポグラフィック表面画像は、Ｓｅｎｓｏｆａｒ  Ｓ  ｎｅｏｘ又はレーザープロフィルメーターなどの３Ｄ光学プロファイラーを使用して生成される。
【００２１】
トポグラフィック表面は、３Ｄプリンタに好適なフォーマットに変換され、好ましくは、トポグラフィック（３Ｄ）表面を記述する各点の空間座標（Ｘ、Ｙ、Ｚ）としてデジタルファイルにエクスポートされる。好ましくは、これは、プロフィルメーターを使用して完了される。好適なプロフィルメーターの一例は、調査される表面の３Ｄ画像を生成することができるＳｅｎｓｏｆａｒ  Ｓ  ｎｅｏｘプロフィルメーターである。プロフィロメーターソフトウェア、例えば、ｓｅｎｓｏＳＣＡＮ  ｖ５は、各点のすべてのＸ、Ｙ、Ｚ座標のリストであるファイル「．ｄａｔ」をエクスポートすることができる。
【００２２】
好ましくは、拡大された３Ｄ画像は、１００〜５０，０００、好ましくは３０，０００倍の倍率を有する。
【００２３】
所望であれば、画像データの変換ｉｖ）は、拡大プロセスを含む。倍率は、好ましくは、解像度、単位、及び／又は座標軸の再スケールの変更によって達成され、新しい空間座標を有する新しいデジタルファイルを生成する。データポイントを拡大する好ましい方法は、Ｍａｔｌａｂを使用することである。この好ましい方法では、「．ｄａｔ」ファイルをＭａｔｌａｂに行列としてインポートし、一連のＭａｔｌａｂスクリプトを使用して行列を操作し、解像度／スケールを変更する。行列が、各点のすべてのＸ、Ｙ、Ｚ座標のリストとして新しいＡＳＣＩＩファイル「．ＸＹＺ」にエクスポートされることが非常に好ましい。
【００２４】
画像データは、３Ｄプリンタに好適な画像に変換される。好ましくは、ファイルは、３Ｄ−ＣＡＤソフトウェアにインポートされ、３Ｄ表面を平行四辺形の面に適用して３Ｄオブジェクトを得る。得られた３Ｄ画像は、３Ｄプリンタ装置ソフトウェアと互換性のあるデジタルファイルにエクスポートされる。ＸＹＺファイルは、好ましくは、ソフトウェア変換パッケージ、例えば、それを３ｄファイルに変換して、．ＳＴＬファイルとしてエクスポートすることができる「Ｒｈｉｎｏ」ソフトウェアパッケージにインポートされる。
【００２５】
３Ｄ画像を印刷して３Ｄオブジェクトを形成する。これは、入手可能な現代の３Ｄプリンタのいずれかを使用することで達成することができ、例は、ＥＯＳ（Ｅｌｅｃｔｒｏ  Ｏｐｔｉｃａｌ  Ｓｙｓｔｅｍｓ）ＥＯＳＩＮＴ  Ｐ３８０選択レーザー焼結プリンタ及び生成された拡大表面の３Ｄレプリカである。
【００２６】
好ましくは、カラーリンスが３Ｄモデルに適用されて、関心領域を強調表示する。色は、表面の高さに応じて変えることができる。これは、キューティクルリフトの程度及び穴の深さなどを表示するのに有用である。
【００２７】
毛髪
本発明の方法は、単一の毛髪繊維又は毛髪繊維束で実施することができる。
【００２８】
毛髪は、好ましくはヒトの毛髪である。
【００２９】
有益及び修復処理
好ましいタイプの処理は、毛髪への損傷の効果を低減又は緩和するものである。さらに好ましいタイプの処理は、スタイリング処理である。
【００３０】
毛髪のための好ましい処理は、すすぎ落とされ、製品に残る。リーブオン製品には、コンディショニング製品並びにムース、ワックス、クリーム、及びジェルなどのスタイリング製品が含まれる。
【００３１】
好ましい毛髪処理組成物は、シャンプー、リンスオフヘアコンディショナー、ヘアマスク、リーブオンコンディショナー組成物、及び前処理組成物から選択され、より好ましくはリンスオフヘアコンディショナー、ヘアマスク、リーブオンコンディショナー組成物、及び前処理組成物から選択され、最も好ましくはリンスオフヘアコンディショナー、ヘアマスク、及びリーブオンコンディショナー組成物から選択される。好適な前処理組成物の例は、油処理である。
【００３２】
本発明で使用するためのリンスオフコンディショナーは、典型的には、濡れた毛髪の上に１〜２分間放置されてからすすぎ落とされるコンディショナーである。
【００３３】
本発明で使用するためのヘアマスクは、典型的には、すすぎ落とされる前に、毛髪に３〜１０分間、好ましくは３〜５分間、より好ましくは４〜５分間放置される処理である。
【００３４】
本発明で使用するためのリーブオンコンディショナーは、典型的には、毛髪に適用され、毛髪上に１０分超放置され、好ましくは、洗浄後に毛髪に適用され、次の洗浄まですすぎ落とされない。
【００３５】
本発明の方法で使用するための処理組成物は、好ましくは、コンディショニング剤を含む。コンディショニング剤は、好ましくは、カチオン性界面活性剤から選択され、単独又は混合物として使用される。
【００３６】
本発明の方法で使用するための組成物に有用なカチオン性界面活性剤は、水性組成物中に溶解したときに正に荷電されるアミノ又は第四級アンモニウム親水性部分を含有する。
【００３７】
好適なカチオン性界面活性剤の例は、式
［Ｎ（Ｒ１）（Ｒ２）（Ｒ３）（Ｒ４）］＋（Ｘ）−
（式中、Ｒ１、Ｒ２、Ｒ３、及びＲ４は、（ａ）１〜２２個の炭素原子の脂肪族基；又は（ｂ）最大２２個の炭素原子を有する芳香族、アルコキシ、ポリオキシアルキレン、アルキルアミド、ヒドロキシアルキル、アリール、若しくはアルカリル基から選択され；Ｘは、ハロゲン（例えば、塩化物、臭化物）、酢酸、クエン酸、乳酸、グリコール酸、硝酸、硫酸、及びアルキル硫酸ラジカルから選択されるものなどの塩形成アニオンである）に対応するものである。
【００３８】
脂肪族基は、炭素及び水素原子に加えて、エーテル結合、及びアミノ基などの他の基を含有することができる。より長い鎖の脂肪族基、例えば、約１２個又はそれ以上の炭素原子の脂肪族基は、飽和又は不飽和であり得る。
【００３９】
本発明の方法で使用するための組成物にとって最も好ましいカチオン性界面活性剤は、長いアルキル鎖がＣ８〜Ｃ１４であるモノアルキル第四級アンモニウム化合物である。
【００４０】
そのような材料の好適な例は、式
［Ｎ（Ｒ５）（Ｒ６）（Ｒ７）（Ｒ８）］＋（Ｘ）−
（式中、Ｒ５は、８〜１４個の炭素原子を有する炭化水素鎖又は８〜１４個の炭素原子を有し、置換基として若しくはラジカル鎖中の結合として存在するエーテル、エステル、アミド若しくはアミノ部分を含有する官能化ヒドロカルビル鎖であり、Ｒ６、Ｒ７、及びＲ８は、（ａ）１〜約４個の炭素原子のヒドロカルビル鎖、又は（ｂ）１〜約４個の炭素原子を有し、置換基若しくはラジカル鎖中の結合として存在する１つ以上の芳香族、エーテル、エステル、アミド、若しくはアミノ部分を含有する官能化ヒドロカルビル鎖から選択され、Ｘは、ハロゲン（例えば塩化物、臭化物）、酢酸、クエン酸、乳酸、グリコール酸、硝酸、硫酸、及びアルキル硫酸ラジカルから選択されるものなどの塩形成アニオンである）に対応する。
【００４１】
官能化ヒドロカルビル鎖（ｂ）は、アルコキシ（好ましくはＣ１−Ｃ３アルコキシ）、ポリオキシアルキレン、アルキルエステル、及びそれらの組み合わせから選択される１つ以上の親水性部分を好適に含有してもよい。
【００４２】
好ましくは、炭化水素鎖Ｒ１は、１２〜１４個の炭素原子、最も好ましくは１２個の炭素原子を含有する。それらは、所望のヒドロカルビル鎖長を有する相当量の脂肪酸を含有する原料油から誘導されてもよい。例えば、パーム核油又はヤシ油からの脂肪酸は、Ｃ８〜Ｃ１２ヒドロカルビル鎖の供給源として使用することができる。
【００４３】
本発明の方法において使用するための組成物で使用するための上記一般式の典型的なモノアルキル第四級アンモニウム化合物は、
（ｉ）塩化ラウリルトリメチルアンモニウム（アクゾ（Ａｋｚｏ）からＡｒｑｕａｄ  Ｃ３５として市販されている）、塩化ココジメチルベンジルアンモニウム（アクゾ（Ａｋｚｏ）からＡｒｑｕａｄ  ＤＭＣＢ−８０として市販されている）、（ｉｉ）式：
［Ｎ（Ｒ１）（Ｒ２）（（ＣＨ２ＣＨ２Ｏ）ｘＨ）（（ＣＨ２ＣＨ２Ｏ）ｙＨ］＋（Ｘ）−
（式中、ｘ＋ｙは、２〜２０の整数であり；Ｒ１は、８〜１４個、好ましくは１２〜１４個、最も好ましくは１２個の炭素原子を有し、置換基として、又はラジカル鎖中の結合として存在するエーテル、エステル、アミド、若しくはアミノ部分を含有するヒドロカルビル鎖であり；Ｒ２は、Ｃ１−Ｃ３アルキル基又はベンジル基であり、好ましくはメチルであり、Ｘは、ハロゲン（例えば、塩化物、臭化物）、酢酸、クエン酸、乳酸、グリコール酸、リン酸、硫酸、メト硫酸、及びアルキル硫酸ラジカルから選択されるものなどの塩形成アニオンである）の化合物を含む。
【００４４】
好適な例は、塩化ＰＥＧ−ｎラウリルアンモニウム（ｎはＰＥＧ鎖長である）、例えばＰＥＧ−２塩化ココモニウム（アクゾノーベル（Ａｋｚｏ  Ｎｏｂｅｌ）からＥｔｈｏｑｕａｄ  Ｃ１２として市販されている）；ＰＥＧ−２塩化ココベンジルアンモニウム（アクゾノーベル（Ａｋｚｏ  Ｎｏｂｅｌ）からＥｔｈｏｑｕａｄ  ＣＢ１２として市販されている）；ＰＥＧ−５ココモニウムメトサルフェート（レウォ（Ｒｅｗｏ）からＲｅｗｏｑｕａｔ  ＣＰＥＭして市販されている）；ＰＥＧ−１５塩化ココモニウム（アクゾ（Ａｋｚｏ）からＥｔｈｏｑｕａｄ  Ｃ／２５として市販されている）である。
【００４５】
（ｉｉｉ）式：
［Ｎ（Ｒ１）（Ｒ２）（Ｒ３）（（ＣＨ２）ｎ  ＯＨ）］＋（Ｘ）−
（式中、ｎは、１〜４の整数、好ましくは２であり；Ｒ１は、８〜１４個、好ましくは１２〜１４個、最も好ましくは１２個の炭素原子を有するヒドロカルビル鎖であり；Ｒ２及びＲ３は、Ｃ１−Ｃ３アルキル基から独立して選択され、好ましくはメチルであり、Ｘ−は、ハロゲン（例えば塩化物、臭化物）、酢酸、クエン酸、乳酸、グリコール酸、硝酸、硫酸、アルキル硫酸ラジカルから選択されるものなどの塩形成アニオンである）の化合物。
【００４６】
好適な例は、塩化ラウリルジメチルヒドロキシエチルアンモニウム（クラリアント（Ｃｌａｒｉａｎｔ）からＰｒａｐａｇｅｎ  ＨＹとして市販されている）である。
【００４７】
前述のカチオン性界面活性剤化合物のいずれかの混合物も好適であり得る。
【００４８】
本発明の方法に使用するための毛髪組成物に使用するのに好適なカチオン性界面活性剤の例としては、塩化セチルトリメチルアンモニウム、塩化ベヘニルトリメチルアンモニウム、塩化セチルピリジニウム、塩化テトラメチルアンモニウム、塩化テトラエチルアンモニウム、塩化オクチルトリメチルアンモニウム、塩化ドデシルトリメチルアンモニウム、塩化ヘキサデシルトリメチルアンモニウム、塩化オクチルジメチルベンジルアンモニウム、塩化デシルジメチルベンジルアンモニウム、塩化ステアリルジメチルベンジルアンモニウム、塩化ジドデシルジメチルアンモニウム、塩化ジオクタデシルジメチルアンモニウム、塩化タロートリメチルアンモニウム、塩化ココトリメチルアンモニウム、及びそれらの対応する水酸化物が挙げられる。さらに好適なカチオン性界面活性剤には、ＣＴＦＡ表記のクオタニウム−５、クオタニウム−３１、及びクオタニウム−１８を有するそれらの材料が含まれる。前述の材料のいずれかの混合物も好適であり得る。特に有用なカチオン性界面活性剤は、塩化セチルトリメチルアンモニウムであり、例えば、ヘンケル（Ｈｅｎｋｅｌ）のＤＥＨＹＱＵＡＲＴとして市販されている。
【００４９】
カチオン性界面活性剤のレベルは、全組成物の好ましくは０．０１〜１０重量％、より好ましくは０．０５〜５重量％、最も好ましくは０．１〜２重量％である。
【００５０】
好ましいコンディショナーは、コンディショニングゲル相を含む。そのようなコンディショナー及びそれらを作製するための方法は、国際公開第２０１４／０１６３５４号、同２０１４／０１６３５３号、同２０１２／０１６３５２号、及び同２０１４／０１６３５１号に記載されている。
【００５１】
コンディショニング組成物はまた、他の任意の成分を含んでもよい。そのような成分としては、脂肪質、沈着ポリマー、及びさらなるコンディショニング剤が挙げられるが、これらに限定されない。
【００５２】
コンディショナー組成物は、好ましくは、脂肪質をさらに含む。コンディショニング組成物中の脂肪質とカチオン性界面活性剤との併用は、カチオン性界面活性剤が分散された構造化ラメラ又は液晶相の形成をもたらすので、特に有利であると考えられる。
【００５３】
「脂肪物質」とは、脂肪族アルコール、アルコキシル化脂肪族アルコール、脂肪酸、又はそれらの混合物を意味する。好ましくは、脂肪物質のアルキル鎖は、完全に飽和される。
【００５４】
代表的な脂肪物質は、８〜２２個の炭素原子、より好ましくは１６〜２２個の炭素原子を含む。好適な脂肪族アルコールの例としては、セチルアルコール、ステアリルアルコール、及びそれらの混合物が挙げられる。これらの材料の使用は、それらが組成物の全体的なコンディショニング特性に寄与するという点でも有利である。
【００５５】
アルキル鎖中に約１２〜約１８個の炭素原子を有するアルコキシル化（例えば、エトキシル化又はプロポキシル化）脂肪族アルコールは、脂肪族アルコール自体の代わりに、又はそれに加えて使用することができる。好適な例としては、エチレングリコールセチルエーテル、ポリオキシエチレン（２）ステアリルエーテル、ポリオキシエチレン（４）セチルエーテル、及びそれらの混合物が挙げられる。
【００５６】
コンディショナー中の脂肪物質のレベルは、全組成物の０．０１〜１５重量％、好ましくは０．１〜１０重量％、より好ましくは０．１〜５重量％であるのが好適である。カチオン性界面活性剤と脂肪族アルコールとの重量比は、１０：１〜１：１０、好ましくは４：１〜１：８、最適には１：１〜１：７、例えば１：３であるのが好適である。
【００５７】
さらなるコンディショニング成分には、脂肪族アルコールと脂肪酸とのエステル、例えばパルミチン酸セチルが含まれる。
【００５８】
本発明で使用するためのコンディショニング組成物は、好ましくは、ミセル構造化液体を含んでもよい。
【００５９】
本組成物を含むコンディショナーのｐＨは、好ましくは３〜５である。より好ましくは、組成物のｐＨは、４．５〜５．５である。
【００６０】
組成物が３．１０未満のｐＨを有する場合、それは、強烈な処理のためのコンディショニングマスクの形態であることが好ましい。
【００６１】
さらなるコンディショニング成分には、好ましくはヤシ油及びオリーブ油から選択されるコンディショニング油が含まれる。
【００６２】
ここで、本発明を以下の非限定的な実施例によって例示する。
【００６３】
実施例
標本毛髪繊維をヒトの頭部からサンプリングし、未処理の標本を以下の方法に従って画像化した。次いで、繊維をシリコーン又はスタイリングポリマーで処理し、前述のように画像化した。
【００６４】
シリコーンは、ＤＣ５−７１３４（ダウコーニング（Ｄｏｗ  Ｃｏｒｎｉｎｇ）より）であった。
【００６５】
スタイリングポリマーは、Ａｃｕｄｙｎｅ  ＭＤ５８００（ダウコーニング（Ｄｏｗ  Ｃｏｒｎｉｎｇ）より）として入手可能な感圧接着剤（ＰＳＡ）であった。
【００６６】
シリコーンは、コンディショナーベースに組み込まれ、一方、ＰＳＡは、シャンプーベースで調製した。
【００６７】
ＰＳＡスタイリングポリマーを含むシャンプー組成物を表２に示す。
【表１】
2019516948.tif 000003
【００６８】
シャンプー組成物は、以下の方法を使用して調製した。
【００６９】
水を３０℃に加熱し、オーバーヘッド撹拌機及びパドル（例えば、Ｈｅｉｄｏｌｐｈ）を使用して撹拌する。ＰＳＡエマルションを添加し、完全に混合するまで撹拌する。個々に残りの成分のそれぞれを添加し、各添加の間に組成物を完全に混合させる。ＮａＣｌ及びＮａＯＨ使用して、必要に応じてｐＨ及び粘度を調整する。
【００７０】
以下の方法を使用して毛髪をシャンプーで処理した：
毛髪繊維を流水下で３０秒間保持し、毛髪１ｇ当たり０．１ｍｌのシャンプーの用量で非皮下注射器を使用してシャンプーを適用し、３０秒間毛髪に擦り込んだ。余分な泡は、流水の下に３０秒間保持することによって除去され、シャンプー段階を繰り返した。流水下で毛髪を１分間すすぎ、ワイプを使用して余分な水を除去した。
【００７１】
シリコーンを含むコンディショナー組成物を表３に示し、下記の方法で調製してもよい。
【００７２】
水を８１℃に加熱し、オーバーヘッド撹拌機及びパドル（例えば、Ｈｅｉｄｏｌｐｈ）を使用して撹拌する。脂肪物質と界面活性剤とを混合する。熱を維持し、３０分間撹拌する。混合物を冷却し、残りの成分を混合する。高せん断で５分間（例えば、シルバーソンミキサーを使用して）混合する。
【表２】
2019516948.tif 000004
【００７３】
以下の方法を使用して毛髪をコンディショナーで処理した：
毛髪繊維を流水下で３０秒間保持した。次いで、コンディショナーを、非皮下注射器により、毛髪１ｇ当たり０．２ｍｌのコンディショナーの用量で毛髪に適用し、毛髪に１分間マッサージをした。流水下で毛髪を１分間すすぎ、余分な水をワイプを使用して除去した。
【００７４】
イメージング法
毛髪繊維のトポグラフィック表面は、Ｓｅｎｓｏｆａｒ  Ｓネオックスプロフィルメーターを有するセンソＳＣＡＮ  ｖ５を使用してトポグラフィック（３Ｄ）表面を記述する各点の空間座標（Ｘ、Ｙ、Ｚ）としてデジタルファイルにエクスポートすることにより、３Ｄプリンタに好適なフォーマットに変換した。
【００７５】
行列としてＭａｔｌａｂにインポートし、Ｍａｔｌａｂスクリプトを使用して行列を操作し、解像度／スケールを変更することで、得られたデジタルファイルデータを拡大した。次いで、行列を各点のすべてのＸ、Ｙ、Ｚ座標のリストとして新しいＡＳＣＩＩファイル「．ＸＹＺ」にエクスポートした。倍率は、３０，０００倍であった。
【００７６】
画像データを３Ｄ−ＣＡＤソフトウェアを使用して３Ｄプリンタに好適な画像に変換し、３Ｄ表面を平行四辺形の面に適用して３Ｄオブジェクトを得た。得られた３Ｄ画像は、「Ｒｈｉｎｏ」ソフトウェアパッケージを使用して３Ｄプリンタ装置ソフトウェアと互換性のあるデジタルファイルにエクスポートして、それを３Ｄファイルに変換し、それを．ＳＴＬファイルとしてエクスポートした。
【００７７】
次いで、３Ｄ画像を印刷して３Ｄオブジェクトを形成した。これは、ＥＯＳ（電気光学システム）ＥＯＳＩＮＴ  Ｐ３８０選択的レーザー焼結プリンタ及び拡大表面の３Ｄ複製を使用することによって達成された。
【００７８】
得られた３Ｄ画像を比較することにより、毛髪に対する処理の効果が実証された。
【００７９】
結果を図１、２、及び３に示す。
【図面の簡単な説明】
【００８０】
【図１】図１は、未処理の毛髪繊維の３Ｄ印刷可能な画像である。
【図２】図２は、ＰＳＡスタイリングポリマーを含むシャンプーで処理された毛髪の３Ｄ印刷可能な画像である。
【図３】図３は、シリコーンを含むコンディショナーで処理された毛髪繊維の３Ｄ印刷可能な画像である。
【００８１】
この処理は、明らかに毛髪の表面に影響を与えることが分かる。シリコーンは、繊維の長さに沿って層として沈着され、そのため隆起又は欠けたキューティクルに有益な平滑化効果を有する。スタイリングポリマー（すなわち、感圧接着剤）の粒子は、キューティクル上の離散ブロブに沈着された。これは摩擦の増加をもたらし、スタイリングの利点及び形状の利点、並びに保持の長い寿命を与えた。したがって、個々の毛髪のニーズに合った非常に好適な処理を推奨することが可能です。
【図１】
2019516948.tif 000005
【図２】
2019516948.tif 000006
【図３】
2019516948.tif 000007
【国際調査報告】
2019516948.tif 000008
2019516948.tif 000009
2019516948.tif 000010